(57)【要約】【課題】コピー権を保持したままリムーバブル記録メディアへコンテンツをムーブする運用がコンテンツ毎に許諾されているコンテンツ配信サービスを実現できなかった。【解決手段】コンテンツ取得装置１００は、ネットワーク１１５を介してコンテンツサーバ２００からコンテンツを取得するコンテンツ受信部１０７と、取得したコンテンツの移動用ライセンスを取得する前に、コンテンツ毎に規定された、コンテンツをリムーバブル記録メディア１１４へ移動するときのコピー権の引継ぎ可否情報を、コンテンツサーバから取得する引継ぎ情報受信部１０７と、取得した引継ぎ可否情報に基づいて、コンテンツのコピー権を引き継いだ移動が可能か否かをユーザに提示する引継ぎ情報提示部１０３と、ユーザからのコンテンツのリムーバブル記録メディアへの移動指示を受けると、移動用ライセンスをライセンスサーバ３００から取得するライセンス受信部１１３とを備えた。【選択図】図１
2011248431.tif 000002
【特許請求の範囲】
【請求項１】
ネットワークを介してコンテンツサーバからコンテンツを取得するコンテンツ受信部と、
前記コンテンツサーバから取得した前記コンテンツの移動用ライセンスを取得する前に、前記コンテンツ毎に規定された、前記コンテンツをリムーバブル記録メディアへ移動するときのコピー権の引継ぎ可否情報を、前記コンテンツサーバまたはライセンスサーバから取得する引継ぎ情報受信部と、
取得した前記引継ぎ可否情報に基づいて、前記コンテンツのコピー権を引き継いだ移動が可能か否かをユーザに提示する引継ぎ情報提示部と、
前記ユーザからの前記コンテンツの前記リムーバブル記録メディアへの移動指示を受けると、前記移動用ライセンスを前記ライセンスサーバから取得するライセンス受信部と、
取得した前記移動用ライセンスに基づいて、前記コンテンツを前記リムーバブル記録メディアへ移動するコンテンツ移動部とを備えた、コンテンツ取得装置。
【請求項２】
前記引継ぎ情報提示部は、前記コンテンツのコピー権を引き継いだ移動が可能か否かをユーザに提示する際に、前記コンテンツのコピーが可能な回数も提示する、請求項１に記載のコンテンツ取得装置。
【請求項３】
前記引継ぎ情報受信部は、前記引継ぎ可否情報を前記コンテンツサーバから取得し、
前記コンテンツサーバから取得する前記引継ぎ可否情報は、前記コンテンツサーバが前記ライセンスサーバから取得したものである、請求項１に記載のコンテンツ取得装置。
【請求項４】
前記引継ぎ情報受信部は、前記コンテンツを前記コンテンツサーバから取得する際に、前記引継ぎ可否情報を取得する、請求項１に記載のコンテンツ取得装置。
【請求項５】
前記引継ぎ情報受信部によって取得された前記引継ぎ可否情報が正当な情報であることを確認する署名検証部を備え、
前記ライセンスサーバは、ＤＲＭサーバであり、
前記引継ぎ情報受信部が取得する前記引継ぎ可否情報には、前記ライセンスサーバによって署名が付されており、
前記引継ぎ情報受信部は、前記引継ぎ可否情報を取得する際にサーバ証明書を取得し、
前記署名検証部は、予め保持しているＤＲＭ用ルート証明書、前記サーバ証明書、および前記署名の値に基づいて、前記引継ぎ可否情報が正当な情報であるか否かを判定する、請求項１に記載のコンテンツ取得装置。
【請求項６】
リムーバブル記録メディアへ移動するときのコピー権の引継ぎ可否情報がコンテンツ毎に規定された前記コンテンツを、ネットワークを介してコンテンツ取得装置へ配信するコンテンツ送信部と、
前記コンテンツ取得装置からの前記コンテンツの取得要求を受け取ると、前記コンテンツを配信する際に、前記引継ぎ可否情報を前記コンテンツ取得装置へ配信する引継ぎ情報送信部とを備えた、コンテンツサーバ。
【請求項７】
前記引継ぎ情報送信部は、前記コンテンツ取得装置からの前記コンテンツの取得要求を受け取ると、前記コンテンツのライセンスを前記コンテンツ取得装置へ供給するライセンスサーバから前記引継ぎ可否情報を取得し、前記取得した引継ぎ可否情報を前記コンテンツ取得装置へ配信する、請求項６に記載のコンテンツサーバ。
【請求項８】
ネットワークを介してコンテンツサーバからコンテンツを取得したコンテンツ取得装置における、前記コンテンツのリムーバブル記録メディアへの移動方法であって、
前記コンテンツ毎に、前記コンテンツを前記リムーバブル記録メディアへ移動するときのコピー権の引継ぎ可否情報が規定されており、
前記コンテンツサーバから取得した前記コンテンツの移動用ライセンスを取得する前に、前記コンテンツの前記引継ぎ可否情報を、前記コンテンツサーバまたはライセンスサーバから取得する引継ぎ可否情報取得ステップと、
前記コンテンツサーバまたは前記ライセンスサーバから取得した前記引継ぎ可否情報に基づいて、前記コンテンツのコピー権を引き継いだ移動が可能か否かをユーザに提示する引継ぎ情報提示ステップと、
前記ユーザからの前記コンテンツの前記リムーバブル記録メディアへの移動指示を受けると、前記移動用ライセンスを前記ライセンスサーバから取得する移動ライセンス取得ステップと、
前記ライセンスサーバから取得した前記移動用ライセンスに基づいて、前記コンテンツを前記リムーバブル記録メディアへ移動するコンテンツ移動ステップとを備えた、コンテンツの移動方法。
【請求項９】
請求項８に記載のコンテンツの移動方法の、少なくとも、前記引継ぎ可否情報取得ステップ、前記引継ぎ情報提示ステップ、前記移動ライセンス取得ステップ、および前記コンテンツ移動ステップをコンピュータに実行させるプログラム。
【請求項１０】
請求項９に記載のプログラムを記録した記録媒体であって、コンピュータにより処理可能な記録媒体。
【発明の詳細な説明】
【技術分野】
【０００１】
本発明は、通信ネットワークを介してコンテンツを取得するコンテンツダウンロードシステムにおける、コンテンツ取得装置、コンテンツサーバ、およびコンテンツの移動方法等に関するものである。
【背景技術】
【０００２】
近年、インターネットへの接続が可能なＨＤＤ（Ｈａｒｄ  Ｄｉｓｋ  Ｄｒｉｖｅ）レコーダ等の家庭用機器から、インターネットを介してコンテンツ配信事業者のサーバにアクセスを行い、コンテンツ配信事業者が提供する映画やドラマなどの多種多様なコンテンツの中から所望のコンテンツを選択して購入し、購入したコンテンツをダウンロード（ＤＬ）して、レコーダに内蔵されたＨＤＤなどの固定記録メディアに蓄積し、閲覧視聴することが可能なコンテンツ配信サービスが実現されている。
【０００３】
今後、コンテンツ配信サービスの普及を図るためには、ＨＤＤを持つ機器だけでなく、ＨＤＤを持たずにＢｌｕ−ｒａｙ  Ｄｉｓｃ（登録商標）やＳＤカードなどのリムーバブル記録メディアに対してコンテンツを記録して閲覧視聴することができる機器（例えば、インターネットＴＶ）でもコンテンツ配信サービスに対応できることが重要である。
【０００４】
図５を用いて、従来のコンテンツ配信サービスにおけるコンテンツの処理について説明する。
【０００５】
図５は、従来のコンテンツ配信サービスにおけるコンテンツの処理内容を説明するための図である。
【０００６】
従来のコンテンツ配信サービスでは、図５に示すように、ＨＤＤレコーダ等のコンテンツ取得装置５００は、映像配信サーバ等のコンテンツ提供装置５１０からコンテンツをダウンロードして、内蔵されたＨＤＤ５０１内に蓄積する。
【０００７】
そして、コンテンツ取得装置５００は、そのコンテンツに対する視聴ライセンスをライセンス提供装置５２０から取得すると、そのコンテンツの再生が許可され、ＨＤＤ５０１に蓄積したコンテンツを復号化して出力することが可能となり、接続されたディスプレイ５０２などに出力させて視聴することができる。
【０００８】
また、そのコンテンツに対するエキスポートライセンスをライセンス提供装置５２０から取得すると、そのコンテンツを他の記録メディアに書き込むことが許可され、ＨＤＤ５０１に蓄積したコンテンツを復号化し、エキスポート用の暗号化をした後、リムーバブル記録メディア５０３に書き込むことができる。例えば、リムーバブル記録メディア５０３としてＳＤカードなどに書き込むことで、携帯端末などにそのＳＤカードを挿入することでそのコンテンツを持ち出して視聴することができる。
【０００９】
このようなコンテンツ配信サービスを行う場合、通常、特許文献１で示されるように、コンテンツ提供装置とライセンス提供装置に相当する配信サーバから配信されるコンテンツと、ライセンスを含むメッセージを端末に内蔵されたＨＤＤなどの記録メディアに書き込んで保存し、その後、記録メディアに格納されたライセンスに基づいて、リムーバブル記録メディアの著作権管理方式へのムーブ出力などが行われる。このライセンスに含まれる情報としては、コンテンツのムーブが許諾されているかどうかを示すムーブ制御情報や、コンテンツの複製可能回数を示すコピー可能回数などを含むコピー権情報が含まれることが一般的である。
【００１０】
コンテンツを端末からリムーバブル記録メディアへムーブする時に、コピー可能回数をリムーバブル記録メディアに引き継ぐかどうかは、ＤＲＭ（Ｄｉｇｉｔａｌ  Ｒｉｇｈｔｓ  Ｍａｎａｇｅｍｅｎｔ；ダウンロード配信の場合は、Ｍａｒｌｉｎ−ＩＰＴＶＥＳ）のコンプライアンスルール（以下、ＣＲと称す）で規定されている。
【先行技術文献】
【特許文献】
【００１１】
【特許文献１】特開２００６−８５４８１号公報
【発明の概要】
【発明が解決しようとする課題】
【００１２】
しかしながら、規定回のコピーが可能であることを示すコピー権を保持したままリムーバブル記録メディアへコンテンツをムーブする運用がコンテンツ毎に許諾されているコンテンツ配信サービスを想定した場合、従来のコンテンツ取得装置では対応することができなかった。
【００１３】
従来のコンテンツ取得装置では、コンテンツをリムーバブル記録メディアへムーブする際にコピー可能回数をリムーバブル記録メディアに引き継ぐかどうかは、ＣＲ規定にしたがって、コンテンツ取得装置毎に決められていた。すなわち、コンテンツ取得装置毎に、コピー可能回数をそのまま引き継いでムーブする、または、コピー可能回数を引き継がずにムーブする、のいずれかの処理が一律に行われるようになっていた。
【００１４】
コピー可能回数を引き継がずにムーブするコンテンツ取得装置の場合には、コピー権を引き継いだムーブができないので、当然ながら、コピー権を保持したままムーブする運用がコンテンツ毎に許諾されているコンテンツ配信サービスを実現することはできない。
【００１５】
コピー可能回数をそのまま引き継いでムーブするコンテンツ取得装置の場合には、例えば、サーバから渡されるコピー可能回数を、コピー回数が許可されていないコンテンツでは０とし、コピー回数が許可されているコンテンツでは１以上に設定することが考えられる。しかし、この場合には、コピー権の引き継ぎが許可されていないコンテンツでは、コピー可能回数が０と設定されるので、単純コピーができないことになってしまう。
【００１６】
このように、従来のコンテンツ取得装置では、ムーブ制御情報やコピー可能回数の情報を用いても、コピー権を保持したままムーブする運用がコンテンツ毎に許諾されているコンテンツ配信サービスを実現することはできなかった。
【００１７】
本発明は、上記従来の課題を考慮して、コピー権を保持したままムーブする運用がコンテンツ毎に許諾されているコンテンツ配信サービスを実現できる、コンテンツ取得装置、コンテンツサーバ、およびコンテンツの移動方法等を提供することを目的とする。
【課題を解決するための手段】
【００１８】
上述した課題を解決するために、第１の本発明は、
ネットワークを介してコンテンツサーバからコンテンツを取得するコンテンツ受信部と、
前記コンテンツサーバから取得した前記コンテンツの移動用ライセンスを取得する前に、前記コンテンツ毎に規定された、前記コンテンツをリムーバブル記録メディアへ移動するときのコピー権の引継ぎ可否情報を、前記コンテンツサーバまたはライセンスサーバから取得する引継ぎ情報受信部と、
取得した前記引継ぎ可否情報に基づいて、前記コンテンツのコピー権を引き継いだ移動が可能か否かをユーザに提示する引継ぎ情報提示部と、
前記ユーザからの前記コンテンツの前記リムーバブル記録メディアへの移動指示を受けると、前記移動用ライセンスを前記ライセンスサーバから取得するライセンス受信部と、
取得した前記移動用ライセンスに基づいて、前記コンテンツを前記リムーバブル記録メディアへ移動するコンテンツ移動部とを備えた、コンテンツ取得装置である。
【００１９】
また、第２の本発明は、
前記引継ぎ情報提示部は、前記コンテンツのコピー権を引き継いだ移動が可能か否かをユーザに提示する際に、前記コンテンツのコピーが可能な回数も提示する、第１の本発明のコンテンツ取得装置である。
【００２０】
また、第３の本発明は、
前記引継ぎ情報受信部は、前記引継ぎ可否情報を前記コンテンツサーバから取得し、
前記コンテンツサーバから取得する前記引継ぎ可否情報は、前記コンテンツサーバが前記ライセンスサーバから取得したものである、第１の本発明のコンテンツ取得装置である。
【００２１】
また、第４の本発明は、
前記引継ぎ情報受信部は、前記コンテンツを前記コンテンツサーバから取得する際に、前記引継ぎ可否情報を取得する、第１の本発明のコンテンツ取得装置である。
【００２２】
また、第５の本発明は、
前記引継ぎ情報受信部によって取得された前記引継ぎ可否情報が正当な情報であることを確認する署名検証部を備え、
前記ライセンスサーバは、ＤＲＭサーバであり、
前記引継ぎ情報受信部が取得する前記引継ぎ可否情報には、前記ライセンスサーバによって署名が付されており、
前記引継ぎ情報受信部は、前記引継ぎ可否情報を取得する際にサーバ証明書を取得し、
前記署名検証部は、予め保持しているＤＲＭ用ルート証明書、前記サーバ証明書、および前記署名の値に基づいて、前記引継ぎ可否情報が正当な情報であるか否かを判定する、第１の本発明のコンテンツ取得装置である。
【００２３】
また、第６の本発明は、
リムーバブル記録メディアへ移動するときのコピー権の引継ぎ可否情報がコンテンツ毎に規定された前記コンテンツを、ネットワークを介してコンテンツ取得装置へ配信するコンテンツ送信部と、
前記コンテンツ取得装置からの前記コンテンツの取得要求を受け取ると、前記コンテンツを配信する際に、前記引継ぎ可否情報を前記コンテンツ取得装置へ配信する引継ぎ情報送信部とを備えた、コンテンツサーバである。
【００２４】
また、第７の本発明は、
前記引継ぎ情報送信部は、前記コンテンツ取得装置からの前記コンテンツの取得要求を受け取ると、前記コンテンツのライセンスを前記コンテンツ取得装置へ供給するライセンスサーバから前記引継ぎ可否情報を取得し、前記取得した引継ぎ可否情報を前記コンテンツ取得装置へ配信する、第６の本発明のコンテンツサーバである。
【００２５】
また、第８の本発明は、
ネットワークを介してコンテンツサーバからコンテンツを取得したコンテンツ取得装置における、前記コンテンツのリムーバブル記録メディアへの移動方法であって、
前記コンテンツ毎に、前記コンテンツを前記リムーバブル記録メディアへ移動するときのコピー権の引継ぎ可否情報が規定されており、
前記コンテンツサーバから取得した前記コンテンツの移動用ライセンスを取得する前に、前記コンテンツの前記引継ぎ可否情報を、前記コンテンツサーバまたはライセンスサーバから取得する引継ぎ可否情報取得ステップと、
前記コンテンツサーバまたは前記ライセンスサーバから取得した前記引継ぎ可否情報に基づいて、前記コンテンツのコピー権を引き継いだ移動が可能か否かをユーザに提示する引継ぎ情報提示ステップと、
前記ユーザからの前記コンテンツの前記リムーバブル記録メディアへの移動指示を受けると、前記移動用ライセンスを前記ライセンスサーバから取得する移動ライセンス取得ステップと、
前記ライセンスサーバから取得した前記移動用ライセンスに基づいて、前記コンテンツを前記リムーバブル記録メディアへ移動するコンテンツ移動ステップとを備えた、コンテンツの移動方法である。
【００２６】
また、第９の本発明は、
第８の本発明のコンテンツの移動方法の、少なくとも、前記引継ぎ可否情報取得ステップ、前記引継ぎ情報提示ステップ、前記移動ライセンス取得ステップ、および前記コンテンツ移動ステップをコンピュータに実行させるプログラムである。
【００２７】
また、第１０の本発明は、
第９の本発明のプログラムを記録した記録媒体であって、コンピュータにより処理可能な記録媒体である。
【発明の効果】
【００２８】
本発明により、コピー権を保持したままムーブする運用がコンテンツ毎に許諾されているコンテンツ配信サービスを実現できる、コンテンツ取得装置、コンテンツサーバ、およびコンテンツの移動方法等を提供できる。
【図面の簡単な説明】
【００２９】
【図１】本発明の実施の形態１のコンテンツダウンロードシステムの、コンテンツ取得装置、コンテンツ提供装置およびライセンス提供装置の構成を示すブロック図
【図２】本発明の実施の形態１のコンテンツ取得装置がコンテンツをムーブする際の、コンテンツ取得装置、コンテンツ提供装置およびライセンス提供装置の動作および通信シーケンスを示す図
【図３】本発明の実施の形態１のコンテンツ取得装置がコンテンツを購入する際の、コンテンツ取得装置およびコンテンツ提供装置の、それぞれの動作および通信シーケンスを示す図
【図４】本発明の実施の形態１の、ムーブ条件判定部の処理手順を示すフローチャート
【図５】従来のコンテンツ配信サービスにおけるコンテンツの処理内容を説明するための図
【発明を実施するための形態】
【００３０】
以下に、本発明を実施するための形態について、図面を参照しながら説明する。
【００３１】
（実施の形態１）
以下では、本発明の実施の形態１のコンテンツダウンロードシステムの構成および動作について詳細に説明する。
【００３２】
まず、図１を用いて、本実施の形態１のコンテンツダウンロードシステムの構成について説明する。
【００３３】
図１は、本実施の形態１の、コンテンツ取得装置１００、コンテンツ提供装置２００およびライセンス提供装置３００の構成を示すブロック図である。
【００３４】
本実施の形態１のコンテンツダウンロードシステムは、コンテンツ取得装置１００が、外部の通信ネットワーク１１５を介して、コンテンツ配信事業者が提供するコンテンツ提供装置２００とライセンス提供装置３００に接続されており、コンテンツ提供装置２００からユーザが所望するコンテンツを購入およびダウンロード後、そのコンテンツに対応するムーブ用のエキスポートライセンスをライセンス提供装置３００から取得した上で、コンテンツ取得装置１００内に格納されたリムーバブル記録メディアに対してコンテンツをムーブするシステムである。
【００３５】
図１において、本実施の形態１のコンテンツ取得装置１００は、例えば、ＨＤＤとＳＤカードスロットを有するレコーダ機器であり、ネットワークＩ／Ｆ１０１、コンテンツ購入部１０２、表示部１０３、入力部１０４、コンテンツ取得用情報受信部１０５、コンテンツ取得指示送信部１０６、コンテンツ等受信部１０７、コンテンツ蓄積部１０８、署名検証部１０９、ムーブ条件判定部１１０、ムーブ処理部１１１、ライセンス取得要求送信部１１２、ライセンス受信部１１３、およびメディア格納部１１４を備えており、ユーザがコンテンツのエキスポートを行う際の処理時に、ユーザが選択したコンテンツのムーブ条件を判定して対応する処理を行う機能を有する。
【００３６】
なお、コンテンツ等受信部１０７が、本発明のコンテンツ受信部の一例にあたり、また引継ぎ情報受信部の一例にあたる。また、表示部１０３が、本発明の引継ぎ情報提示部の一例にあたり、ライセンス受信部１１３が、本発明のライセンス受信部の一例にあたり、ムーブ処理部１１１が、本発明のコンテンツ移動部の一例にあたる。また、通信ネットワーク１１５が、本発明のネットワークの一例にあたる。
【００３７】
ネットワークＩ／Ｆ１０１は、外部の通信ネットワーク１１５を介して、コンテンツ提供装置２００とライセンス提供装置３００に接続されている。
【００３８】
コンテンツ購入部１０２は、ネットワークＩ／Ｆ１０１を介してコンテンツ提供装置２００と通信を行い、表示部１０３と入力部１０４を用いてコンテンツの購入を行う。
【００３９】
表示部１０３は、コンテンツ購入部１０２およびムーブ条件判定部１１０より表示要求のあった情報をユーザに提示する。
【００４０】
入力部１０４は、表示部１０３でユーザに提示した情報に対する、ユーザのリモコン操作等による応答を受け付け、受け付けた結果をコンテンツ購入部１０２またはムーブ処理部１１１へ提供する。
【００４１】
コンテンツ取得用情報受信部１０５は、ネットワークＩ／Ｆ１０１を介してコンテンツ提供装置２００から送信される、ユーザが事前に購入意向を示したコンテンツを取得するために必要な取得先ＵＲＬなどの情報を含む取得用ＨＴＭＬ１５０を受信し、取得用ＨＴＭＬ１５０に含まれるＵＲＬデータをコンテンツ取得指示送信部１０６に提供する。
【００４２】
コンテンツ取得指示送信部１０６は、コンテンツ取得用情報受信部１０５から提供された取得先ＵＲＬに基づいて、ネットワークＩ／Ｆ１０１を介してコンテンツ提供装置２００に対してコンテンツの取得を要求する。
【００４３】
コンテンツ等受信部１０７は、コンテンツ提供装置２００から送信されてくる、コンテンツ、コンテンツ付属情報、署名付きの許諾条件情報、サーバ証明書、およびライセンスＩＤを受信し、コンテンツ蓄積部１０８に蓄積する。
【００４４】
ここで、コンテンツ付属情報とは、コンテンツの操作や内容表示を行うための情報であり、コンテンツ提供装置２００内で管理しているコンテンツ毎の識別情報であるコンテンツＩＤと、コンテンツのタイトルなどを表示するための表示用情報を含む情報である。
【００４５】
ここで、許諾条件情報には、コンテンツＩＤと、コンテンツのムーブが許諾されているかどうかを示すムーブ制御情報と、コンテンツの複製可能回数を示すコピー可能回数などを含むコピー権情報に加えて、ムーブ先のメディアにコピー権を引き継ぐことが可能かどうかを示すコピー回数付ムーブ可否情報が含まれる。
【００４６】
また、「ムーブ制御情報」は、「ムーブ不可」か「ムーブ可」の値をとり、「コピー回数付ムーブ可否情報」は、「コピー回数付ムーブ可」か「コピー回数付ムーブ不可」の値をとるフラグである。
【００４７】
なお、コピー回数付ムーブ可否情報が、本発明の、コピー権の引継ぎ可否情報の一例にあたる。
【００４８】
また、サーバ証明書とは、署名検証を行うために必要な情報であり、コンテンツ取得装置１００が予め保持しているＤＲＭ用ルート証明書によって認証される。
【００４９】
また、ライセンスＩＤとは、ライセンス提供装置３００内で管理しているライセンス毎の識別情報である。
【００５０】
コンテンツ蓄積部１０８は、署名検証部１０９を用いて、取得した署名付きの許諾条件情報が改ざんされていないことを確認した上で、コンテンツと署名検証部１０９により署名の取り除かれた許諾条件情報とを蓄積する。
【００５１】
署名検証部１０９は、署名付きの許諾条件情報について、コンテンツ取得装置１００が予め保持しているＤＲＭ用ルート証明書と、コンテンツ提供装置２００から提供されるサーバ証明書を用いて署名検証を行い、改ざんされていない場合は、付与された署名を取り除いてコンテンツ蓄積部１０８に提供する。
【００５２】
ムーブ条件判定部１１０は、取得した許諾条件情報に基づいてムーブ条件を判定した上で、ムーブ条件に対応した表示を表示部１０３を用いて行う。あわせて、ムーブ条件に応じて、ユーザからのムーブ処理依頼を受け付けるか否かを判断し、必要な操作メニューの提示を行う。
【００５３】
ムーブ処理部１１１は、コンテンツ蓄積部１０８に蓄積されたコンテンツに対して、ムーブ条件判定部１１０による表示部１０３を用いた表示に基づいてユーザがムーブ処理を指示した場合に、ライセンスＩＤとともにムーブ用のライセンス取得をライセンス取得要求送信部１１２に指示し、ライセンス受信部１１３から取得したムーブ用のエキスポートライセンスを用いて、メディア格納部１１４に格納されたリムーバブル記録メディアへのコンテンツのムーブ処理を行う処理部である。
【００５４】
ライセンス取得要求送信部１１２は、ムーブ処理部１１１からの要求に従って、ネットワークＩ／Ｆ１０１を介してライセンス提供装置３００にライセンスＩＤを含むライセンスの取得要求を行う。
【００５５】
ライセンス受信部１１３は、ライセンス取得要求送信部１１２の要求に応じて、ネットワークＩ／Ｆ１０１を介してライセンス提供装置３００から送信されるライセンスを受信して、ムーブ処理部１１１に提供する。
【００５６】
メディア格納部１１４は、例えばＳＤメモリーカード（Ｓｅｃｕｒｅ  Ｄｉｇｉｔａｌ  Ｍｅｍｏｒｙ  Ｃａｒｄ）などの、コンテンツを記録するリムーバブル記録メディアを格納する。
【００５７】
図１において、本実施の形態１のコンテンツ提供装置２００は、例えば、コンテンツ配信事業者が提供する映像配信サーバであり、ネットワークＩ／Ｆ２０１、コンテンツ登録部２０３、コンテンツ保持部２０４、コンテンツ販売部２０５、取得用情報送信部２０６、コンテンツ取得指示受信部２０７、コンテンツ送信制御部２０８、許諾条件要求送信部２０９、ローカルネットワークＩ／Ｆ２０２、許諾条件情報受信部２１０、およびコンテンツ等送信部２１１を備えている。
【００５８】
なお、コンテンツ提供装置２００が、本発明のコンテンツサーバの一例にあたる。また、コンテンツ等送信部２１１が、本発明のコンテンツ送信部の一例にあたり、また引継ぎ情報送信部の一例にあたる。
【００５９】
ネットワークＩ／Ｆ２０１は、外部の通信ネットワーク１１５を介して、コンテンツ取得装置１００に接続されている。また、ローカルネットワークＩ／Ｆ２０２は、ローカルな通信ネットワーク２１５を介して、ライセンス提供装置３００に接続されている。
【００６０】
コンテンツ登録部２０３は、コンテンツ提供装置２００がコンテンツ取得装置１００に対して販売等で提供するコンテンツおよびコンテンツ付属情報を登録する登録部である。
【００６１】
コンテンツ保持部２０４は、コンテンツ登録部２０３によって登録されたコンテンツおよびコンテンツ付属情報が格納されるデータ保持部である。
【００６２】
コンテンツ販売部２０５は、ネットワークＩ／Ｆ２０１を介してコンテンツ取得装置１００と通信を行い、コンテンツの購入処理を行い、購入処理完了後、取得用情報送信部２０６に対して、取得用情報の送信を依頼する。
【００６３】
取得用情報送信部２０６は、ネットワークＩ／Ｆ２０１を介して取得用ＨＴＭＬ１５０をコンテンツ取得装置１００へ送信する。
【００６４】
コンテンツ取得指示受信部２０７は、ネットワークＩ／Ｆ２０１を介してコンテンツ取得装置１００からコンテンツの取得要求を受信すると、コンテンツ送信制御部２０８に通知する。
【００６５】
コンテンツ送信制御部２０８は、コンテンツ取得要求を受け取ると、許諾条件要求送信部２０９に対して取得要求を受けたコンテンツのＩＤを含む許諾条件情報の取得を依頼し、許諾条件情報受信部２１０から署名付きの許諾条件情報とサーバ証明書とライセンスＩＤを受け取ると、コンテンツ保持部２０４からコンテンツとコンテンツ付属情報とを取得して、それらの送信をコンテンツ等送信部２１１に依頼する。
【００６６】
許諾条件要求送信部２０９は、ローカルネットワークＩ／Ｆ２０２を介して、ライセンス提供装置３００にコンテンツＩＤを含む許諾条件の取得要求を行う。
【００６７】
許諾条件情報受信部２１０は、ローカルネットワークＩ／Ｆ２０２を介して、ライセンス提供装置３００から署名付きの許諾条件情報を受信する。
【００６８】
コンテンツ等送信部２１１は、コンテンツ送信制御部２０８から提供されたコンテンツ、コンテンツ付属情報および署名付きの許諾条件情報を、ネットワークＩ／Ｆ２０１を介して、コンテンツ取得装置１００に送信する。
【００６９】
図１において、本実施の形態１のライセンス提供装置３００は、例えば、コンテンツ配信事業者が提供するＤＲＭサーバであり、ネットワークＩ／Ｆ３０１、ローカルネットワークＩ／Ｆ３０２、許諾条件情報登録部３０３、許諾条件情報管理部３０４、許諾条件要求受信部３０５、署名生成付与部３０６、許諾条件情報送信部３０７、ライセンス取得要求受信部３０８、およびライセンス送信部３０９を備えている。
【００７０】
なお、ライセンス提供装置３００が、本発明のライセンスサーバの一例にあたる。
【００７１】
ネットワークＩ／Ｆ３０１は、外部の通信ネットワーク１１５を介して、コンテンツ取得装置１００に接続されている。また、ローカルネットワークＩ／Ｆ３０２は、ローカルな通信ネットワーク２１５を介して、コンテンツ提供装置２００に接続されている。
【００７２】
許諾条件情報登録部３０３は、コンテンツ提供装置２００が登録したコンテンツに対応する許諾条件情報とコンテンツＩＤを関連づけて登録可能な登録部である。
【００７３】
許諾条件情報管理部３０４は、許諾条件情報登録部３０３で登録された許諾条件情報とライセンスを関連付けて管理し、また、許諾条件要求受信部３０５からコンテンツＩＤを含む許諾条件取得要求を受け取ると、コンテンツＩＤから対応する許諾条件情報を特定して署名生成付与部３０６を用いて署名の生成および付与を行い、署名付きの許諾条件情報とサーバ証明書とライセンスＩＤをあわせて許諾条件情報送信部３０７に提供する管理部である。
【００７４】
許諾条件要求受信部３０５は、ローカルネットワークＩ／Ｆ３０２を介して、コンテンツ提供装置２００から許諾条件の取得要求を受信し、その要求を許諾条件情報管理部３０４に通知する。
【００７５】
許諾条件情報送信部３０７は、ローカルネットワークＩ／Ｆ３０２を介して、コンテンツ提供装置２００に署名付きの許諾条件情報とライセンスＩＤを提供する。
【００７６】
ライセンス取得要求受信部３０８は、ネットワークＩ／Ｆ３０１を介して、コンテンツ取得装置１００からライセンスＩＤを含むムーブを許可する旨のライセンス情報提供の要求を受け付けると、その旨をライセンス送信部３０９に通知する。
【００７７】
ライセンス送信部３０９は、ライセンス情報提供の要求に含まれるライセンスＩＤから許諾条件情報管理部３０４の許諾条件を確認し、ムーブ処理が許諾されていれば、ライセンスＩＤに対応するライセンス情報をネットワークＩ／Ｆ３０１を介して、コンテンツ取得装置１００に送信する。
【００７８】
続いて、本実施の形態１のコンテンツダウンロードシステムの動作について説明する。
【００７９】
まず、図２に、本実施の形態１のコンテンツダウンロードシステムの、コンテンツ取得装置１００、コンテンツ提供装置２００およびライセンス提供装置３００の動作および通信シーケンスを示す。
【００８０】
まず、コンテンツ提供装置２００においてコンテンツが登録される（ステップＳ４０１）。また、ライセンス提供装置３００において登録したコンテンツの利用許諾条件に対応する許諾条件情報が設定される（ステップＳ４０２）。
【００８１】
ユーザは、コンテンツ購入部１０２によりコンテンツを購入する（ステップＳ４０３）。コンテンツ購入ステップＳ４０３の詳細については後述する。
【００８２】
コンテンツ購入ステップＳ４０３後、コンテンツ提供装置２００は、ユーザが購入したコンテンツをダウンロードするための、ＵＲＬ等のコンテンツ取得に必要な情報であるコンテンツ取得情報を含むコンテンツ取得画面をコンテンツ取得装置１００へ送信する（ステップＳ４０４）。コンテンツ取得装置１００は、コンテンツ提供装置２００から受信したコンテンツ取得画面をユーザに提示し、ユーザがコンテンツ取得を指示すると（ステップＳ４０５）、コンテンツ取得情報を用いてそのコンテンツの取得要求をコンテンツ提供装置２００に送付する（ステップＳ４０６）。
【００８３】
コンテンツ提供装置２００は取得要求を受けたコンテンツに対応する許諾条件情報をライセンス提供装置３００に対して取得要求する（ステップＳ４０７）。ライセンス提供装置３００は、ステップＳ４０２で設定した許諾条件情報に対して、改ざん防止のための署名を生成し付与する（ステップＳ４０８）。ライセンス提供装置３００は、コンテンツ提供装置２００に対して、署名付き許諾条件情報を送付する（ステップＳ４０９）。コンテンツ提供装置２００は、ライセンス提供装置３００から取得した署名付き許諾条件情報とコンテンツをコンテンツ取得装置１００に送付する（ステップＳ４１０）。
【００８４】
コンテンツ取得装置１００は、取得した署名付き許諾条件情報に付与された署名を検証し、その許諾条件情報が正当な情報であり、改ざんされていないことを確認する（ステップＳ４１１）。コンテンツ取得装置１００は、コンテンツの取得が完了した旨と、取得したコンテンツに関するムーブ条件をユーザに提示する（ステップＳ４１２）。ここでムーブ条件とは、取得した許諾条件情報に基づいて、ムーブに関する許諾条件を端末が判断して提示される情報である。
【００８５】
ユーザは、提示されたムーブ条件を参照してムーブ処理を指示する（ステップＳ４１３）。コンテンツ取得装置１００は、ムーブ用のエキスポートライセンスをライセンス提供装置３００に取得要求する（ステップＳ４１４）。ライセンス提供装置３００は、ムーブ用のエキスポートライセンスをコンテンツ取得装置１００に送付する（ステップＳ４１５）。コンテンツ取得装置１００は、ムーブ処理を実施する（ステップＳ４１６）。
【００８６】
なお、ムーブ用のエキスポートライセンスが、本発明の移動用ライセンスの一例にあたる。また、ステップＳ４１０の処理が、本発明の引継ぎ可否情報取得ステップの一例にあたり、ステップＳ４１２の処理が、本発明の引継ぎ情報提示ステップの一例にあたる。また、ステップＳ４１４およびステップＳ４１５の処理が、本発明の移動ライセンス取得ステップの一例にあたる。また、ステップＳ４１６の処理が、本発明のコンテンツ移動ステップの一例にあたる。
【００８７】
次に、図３を用いて、コンテンツ購入ステップＳ４０３について詳細に説明する。
【００８８】
図３は、コンテンツ提供装置１００がコンテンツを購入する際の、コンテンツ取得装置１００およびコンテンツ提供装置２００の、それぞれの動作および通信シーケンスを示している。
【００８９】
ユーザは購入するコンテンツを指定するために、まずコンテンツ提供装置２００で提供されているコンテンツの表示指示を行なう（ステップＳ４２０）。
【００９０】
コンテンツ取得装置１００は、ユーザからの提供コンテンツの表示指示を受けて、コンテンツ提供装置２００へ、提供コンテンツの表示指示を送信する（ステップＳ４２１）。コンテンツ提供装置２００は、提供コンテンツ表示指示を受信すると、提供するコンテンツ一覧の画面を生成し（ステップＳ４２２）、生成した提供コンテンツ一覧画面をコンテンツ取得装置１００へ送信する（ステップＳ４２３）。そして、コンテンツ取得装置１００は、その受信した提供コンテンツ一覧画面を表示する（ステップＳ４２４）。
【００９１】
ユーザが、表示された提供コンテンツ一覧画面から、購入を希望するコンテンツを選択する（ステップＳ４２５）と、コンテンツ取得装置１００は、そのユーザに選択されたコンテンツの指示をコンテンツ提供装置２００へ送信する（ステップＳ４２６）。
【００９２】
選択コンテンツ指示を受信したコンテンツ提供装置２００は、コンテンツ取得装置１００がその選択されたコンテンツを取得可能か判定するために必要な確認用データを、そのコンテンツの情報から抽出し（ステップＳ４２７）、その確認用データを含むコンテンツ取得確認要求をコンテンツ取得装置１００へ送信する（ステップＳ４２８）。
【００９３】
コンテンツ取得装置１００は、コンテンツを記録するメディアを選択するための表示とともに、コンテンツ提供装置２００から受信したコンテンツの詳細情報を表示する（ステップＳ４２９）。そして、ユーザが購入指示する（ステップＳ４３０）と、コンテンツ取得装置１００は、購入指示をコンテンツ提供装置２００へ送信する（ステップＳ４３１）。
【００９４】
コンテンツ提供装置２００は、コンテンツ取得装置１００からコンテンツ取得可能の結果を受け取ると、そのコンテンツを購入するために必要な情報を入力するための画面を生成し、コンテンツ取得装置１００へ送信する（ステップＳ４３２）。コンテンツ取得装置１００は、受信したその購入情報入力画面を表示し（ステップＳ４３３）、クレジット番号等の購入するために必要な情報をユーザに入力させる（ステップＳ４３４）。コンテンツ取得装置１００は、その入力されたユーザ情報をコンテンツ提供装置２００へ送信する（ステップＳ４３５）。
【００９５】
コンテンツ提供装置２００は、受信したユーザ入力情報の照合等をしてコンテンツ購入の確定処理を行い（ステップＳ４３６）、コンテンツ購入確定処理が完了すれば、ユーザが購入したコンテンツをダウンロードするための、ＵＲＬ等のコンテンツ取得に必要な情報を含むコンテンツ取得画面をコンテンツ取得装置１００へ送信する（ステップＳ４０４）。
【００９６】
以上により、コンテンツ購入を行い、コンテンツを取得する準備ができる。
【００９７】
次に、図４を用いて、コンテンツ取得装置１００のムーブ条件判定部１１０における、判定処理手順について説明する。なお、図４は、本実施の形態１のムーブ条件判定部１１０における判定処理手順を示すフローチャートである。
【００９８】
コンテンツ取得装置１００のムーブ条件判定部１１０は、取得したコンテンツのムーブ条件の判定を開始する（ステップＳ４５０）と、ムーブ制御情報を確認することで該コンテンツのムーブが許諾されているか否かを判断する（ステップＳ４５１）。その結果、ムーブ制御情報が「ムーブ不可」を示す場合、該コンテンツは「ムーブ不可」と判定して、その旨をユーザへ提示してムーブ処理を行わない（ステップＳ４５２）。
【００９９】
ステップＳ４５１において、ムーブ制御情報が「ムーブ可」を示す場合、ムーブ条件判定部１１０はコピー回数情報を確認する（ステップＳ４５３）。その結果、コピー権がない、または、コピー権はあるがコピー可能回数が０である場合、該コンテンツは「ムーブ可能でムーブ先でのコピー権なし」と判定して、その旨をユーザに提示してムーブ処理を許可する（ステップＳ４５４）。
【０１００】
ステップＳ４５３において、コピー権があってコピー可能回数が１以上である場合、ムーブ条件判定部１１０はコピー回数付ムーブ可否情報を確認する（ステップＳ４５５）。その結果、コピー回数付ムーブが可能である場合、該コンテンツは「ムーブ可能、コピー権はムーブ先に引継可」と判定して、その旨をユーザに提示してムーブ処理を許可する（ステップＳ４５６）。一方、コピー回数付ムーブが不可である場合、該コンテンツは「ムーブ可能、コピー権はムーブ先に引継不可」と判定して、その旨をユーザに提示してムーブ処理を許可する（ステップＳ４５７）。
【０１０１】
なお、ステップＳ４５４、ステップＳ４５６およびステップＳ４５７において、ムーブ条件をユーザに提示する際に、コピー可能な回数も提示するようにしてもよい。
【０１０２】
以上のように、本実施の形態１のコンテンツダウンロードシステムでは、コンテンツ取得装置１００におけるコンテンツのリムーバブル記録メディアへのムーブ処理に先立って、コンテンツ取得装置１００がコンテンツ毎に規定されているコピー回数付ムーブ可否情報を取得し、コピー回数付ムーブ可否情報に基づいてコピー権の引き継ぎの可否をユーザに提示するので、コピー権を保持したままムーブする運用がコンテンツ毎に許諾されているコンテンツ配信サービスを実現することができる。
【０１０３】
また、本実施の形態１のコンテンツダウンロードシステムでは、ユーザはムーブ用のエキスポートライセンス取得前にコンテンツ毎に設定された許諾条件に基づくムーブ条件を参照して、ムーブ用のエキスポートライセンスの取得の要否を判断することが可能となる。これにより、ユーザにとって不要なムーブ用のエキスポートライセンスを取得することを防止できる。
【０１０４】
このように、本発明を用いることにより、ダウンロードコンテンツのムーブ時に、エキスポートライセンス取得に先立ってコンテンツ取得装置がコンテンツ毎のムーブ条件を把握することが可能となるため、コンテンツ提供者およびユーザの意図にそったコピー権付ムーブの実現に寄与することができるようになる。
【０１０５】
なお、本実施の形態１においては、コンテンツ取得装置１００からのコンテンツ取得要求時に許諾条件情報への署名生成および付与を実施するが、許諾条件情報への署名生成および付与のタイミングをこれに限定するものではなく、コンテンツ登録時等、コンテンツ取得に先立って静的に署名生成および付与を行ってもよい。
【０１０６】
また、本実施の形態１では、コンテンツ提供装置２００がコンテンツ取得装置１００に提供する許諾条件情報に署名を付与することとしたが、許諾条件情報に署名を付与しなくても、コピー権を保持したままムーブする運用がコンテンツ毎に許諾されているコンテンツ配信サービスを実現することができる。ただし、ムーブ条件に対する第三者による悪意ある改ざんによってユーザのコピー権が不正に喪失するなどを回避するために、本実施の形態１に示したように許諾条件情報に署名を付与して、コンテンツ取得装置に対してセキュアにムーブ条件を提供するのが望ましい。
【０１０７】
また、本実施の形態１では、コンテンツ取得装置１００がコンテンツを取得する際、コピー回数付ムーブ可否情報を含む許諾条件情報を取得することとしたが、コンテンツを取得する際に限らず、ムーブ用のエキスポートライセンス取得前のタイミングであれば、いつ許諾条件情報を取得するようにしてもよい。
【０１０８】
例えば、コンテンツ購入ステップＳ４０３の際に許諾条件情報を取得するようにした場合、コンテンツ購入の際にコンテンツ毎のコピー権の引き継ぎの可否をユーザに提示することができ、ユーザは、その情報をコンテンツ購入要否の判断材料とすることができる。また、コンテンツ配信事業者が、同一のコンテンツに対して、「ムーブ時のコピー権の引き継ぎ可能なコンテンツ」と「ムーブ時のコピー権の引き継ぎ不可能なコンテンツ」の２種類のコンテンツを用意し、コンテンツを購入するユーザにいずれのコンテンツを購入するかを選択させるようにしてもよい。この場合、「ムーブ時のコピー権の引き継ぎ可能なコンテンツ」と「ムーブ時のコピー権の引き継ぎ不可能なコンテンツ」で、コンテンツの価格を異ならせるようにしてもよい。
【０１０９】
また、本実施の形態１では、コンテンツ取得装置１００は、コンテンツ提供装置２００から許諾条件情報を取得することとしたが、コンテンツはコンテンツ提供装置２００から取得することとし、そのコンテンツに対応する許諾条件情報については、ライセンス提供装置３００から取得するようにしてもよい。
【０１１０】
また、本実施の形態１では、コンテンツおよびライセンスを提供する装置としてコンテンツ提供装置２００およびライセンス提供装置３００という複数の装置を設けた構成で説明したが、コンテンツ提供装置２００およびライセンス提供装置３００の代わりに、コンテンツおよびライセンスを提供する機能を備えた１台のサーバ装置の構成としてもよい。
【０１１１】
また、本実施の形態１のムーブ条件判定処理においては、コピー回数情報の確認に続いてコピー回数付ムーブの可否を確認したが、適宜、ムーブを行おうとするリム−バブル記録メディアの種類を確認することで不要な判定の削減を行ってもよく、例えば、コピー回数情報の確認の前に、コピー回数付ムーブに対応していないメディアであるかを確認してもよい。
【０１１２】
なお、本発明のプログラムは、上述したコンテンツの移動方法の、少なくとも、前記引継ぎ可否情報取得ステップ、前記引継ぎ情報提示ステップ、前記移動ライセンス取得ステップ、および前記コンテンツ移動ステップの動作をコンピュータにより実行させるためのプログラムであって、コンピュータと協働して動作するプログラムである。
【０１１３】
また、本発明のプログラム記録媒体は、上述したコンテンツの移動方法の、少なくとも、前記引継ぎ可否情報取得ステップ、前記引継ぎ情報提示ステップ、前記移動ライセンス取得ステップ、および前記コンテンツ移動ステップの動作をコンピュータにより実行させるためのプログラムを記録したプログラム記録媒体であり、コンピュータにより読み取り可能かつ、読み取られた前記プログラムが前記コンピュータと協働して利用されるプログラム記録媒体である。
【０１１４】
また、本発明の上記「ステップの動作」とは、前記ステップの全部または一部の動作を意味する。
【０１１５】
また、本発明のプログラムの一利用形態は、コンピュータにより読み取り可能な、ＲＯＭ等の記録媒体に記録され、コンピュータと協働して動作する態様であっても良い。
【０１１６】
また、本発明のプログラムの一利用形態は、インターネット等の伝送媒体、光・電波等の伝送媒体中を伝送し、コンピュータにより読みとられ、コンピュータと協働して動作する態様であっても良い。
【０１１７】
また、上述した本発明のコンピュータは、ＣＰＵ等の純然たるハードウェアに限らず、ファームウェアや、ＯＳ、更に周辺機器を含むものであっても良い。
【０１１８】
なお、以上説明した様に、本発明の構成は、ソフトウェア的に実現しても良いし、ハードウェア的に実現しても良い。
【産業上の利用可能性】
【０１１９】
本発明に係るコンテンツ取得装置、コンテンツサーバおよびコンテンツの移動方法等は、コピー権を保持したままムーブする運用がコンテンツ毎に許諾されているコンテンツ配信サービスを実現するという効果を有し、通信ネットワークを介してコンテンツを取得するコンテンツダウンロードシステムにおける、コンテンツ取得装置、コンテンツサーバ、およびコンテンツの移動方法等として有用である。
【符号の説明】
【０１２０】
１００  コンテンツ取得装置
１０１  ネットワークＩ／Ｆ
１０２  コンテンツ購入部
１０３  表示部
１０４  入力部
１０５  コンテンツ取得用情報受信部
１０６  コンテンツ取得指示送信部
１０７  コンテンツ等受信部
１０８  コンテンツ蓄積部
１０９  署名検証部
１１０  ムーブ条件判定部
１１１  ムーブ処理部
１１２  ライセンス取得要求送信部
１１３  ライセンス受信部
１１４  メディア格納部
１１５  通信ネットワーク
２００  コンテンツ提供装置
２０１  ネットワークＩ／Ｆ
２０２  ローカルネットワークＩ／Ｆ
２０３  コンテンツ登録部
２０４  コンテンツ保持部
２０５  コンテンツ販売部
２０６  取得用情報送信部
２０７  コンテンツ取得指示受信部
２０８  コンテンツ送信制御部
２０９  許諾条件要求送信部
２１０  許諾条件情報受信部
２１１  コンテンツ等送信部
２１５  ローカル通信ネットワーク
３００  ライセンス提供装置
３０１  ネットワークＩ／Ｆ
３０２  ローカルネットワークＩ／Ｆ
３０３  許諾条件情報登録部
３０４  許諾条件情報管理部
３０５  許諾条件要求受信部
３０６  署名生成付与部
３０７  許諾条件情報送信部
３０８  ライセンス取得要求受信部
３０９  ライセンス送信部
【図１】
2011248431.tif 000003
【図２】
2011248431.tif 000004
【図３】
2011248431.tif 000005
【図４】
2011248431.tif 000006
【図５】
2011248431.tif 000007